(57)【要約】【課題】  収納棚を前後方向に傾かせずに上昇させるようにした昇降式収納装置を提供する。【解決手段】  昇降式収納装置は、収納棚２をキッチン用フロアキャビネット１のカウンター上に上昇させるとともにカウンター下に下降させる昇降機構６を備えている。前記昇降機構６は、前記収納棚２の左側位置と右側位置とに設けられたブラケット１７の前後方向の略中央に連結されたそれぞれのベルト２２Ａ，２２Ｂを収納棚２の下方で収納棚２の前後方向の略中央に対応する位置に配設されたドラム２１Ａ，２１Ｂで巻き取り・巻き戻す構成となっている。【選択図】  図６
2006296601.tif 000002
【特許請求の範囲】
【請求項１】
キッチン用フロアキャビネットのカウンターの一部に形成した昇降用開口内に配置される収納棚と、この収納棚をカウンター下の収納空間に下降させるとともに、カウンター上に上昇させる昇降機構とを備えた昇降式収納装置において、
前記昇降機構は、前記収納棚の左側位置と右側位置とに連結されたそれぞれのベルトを収納棚の下方に配設されるドラムで巻き取り・巻き戻すことにより収納棚をベルトで上昇・下降させるものであり、
前記各ベルトは、収納棚の左側位置と右側位置の前後方向の略中央にそれぞれ連結されているとともに、前記ドラムは、収納棚の前後方向の略中央に対応する位置に配設されていることを特徴とする昇降式収納装置。
【請求項２】
前記ドラムは、モータにより回転させられるようになっており、このモータとドラムとは、前記収納空間の下面に固定される共通のベースに取付けられていることを特徴とする請求項１に記載の昇降式収納装置。
【請求項３】
前記ドラムと前記モータとはそれぞれの回転軸が略平行となるように並列に配置されていることを特徴とする請求項２に記載の昇降式収納装置。
【発明の詳細な説明】
【技術分野】
【０００１】
本発明は、キッチン用フロアキャビネットに設けられる昇降式収納装置に関する。
【背景技術】
【０００２】
一般に、キッチン用フロアキャビネットは、カウンター下に収納部を設けているから、収納物（皿、鍋、調味料等）を出し入れするには、調理作業等を一旦中断して屈んだ状態で収納部から収納物を出し入れする必要があった。
【０００３】
このため、フロアキャビネット上方の天袋に収納部を設けて、収納物を出し入れする際に、収納部を引き下ろせるようにしたものがある（特許文献１、２参照）。
【０００４】
しかしながら、特許文献１、２のような昇降式収納装置は、収納部を引き下ろした時でも、収納部の上段に収納物を出し入れしにくいという問題があった。
【０００５】
また、キッチンとダイニングとの間に壁面が無いオープン型の対面キッチンにおいては、設置すべき壁面が無いので、昇降式収納装置を設置しづらいという問題があった。
【０００６】
そこで、本出願人は、オープン型の対面キッチンに好適で、収納物を出し入れしやすくするために、キッチン用フロアキャビネットのカウンターの一部に形成した昇降用開口内に配置される収納棚（水切り棚）と、この収納棚をカウンター下の収納空間に下降させるとともに、カウンター上に上昇させる昇降機構とを備えた昇降式収納装置を提案した。
【特許文献１】特開２０００−３１６６４３号公報
【特許文献２】特開２００１−１４９２９７号公報
【発明の開示】
【発明が解決しようとする課題】
【０００７】
本出願人の提案に係る昇降式収納装置においては、昇降機構は、収納棚の左側位置と右側位置とに連結されたそれぞれのベルトを収納棚の下方に配設されるドラムで巻き取り・巻き戻すことにより収納棚をベルトで上昇・下降させるようになっている。
【０００８】
この構成では、収納棚を上昇させる際に、収納棚の自重とベルトの引き上げ力との偏荷重によって収納棚ががたつかないようにするために、収納棚を前後方向に傾かせずに上昇させるようにしたいという要望があった。
【０００９】
本発明は、前記要望に応えるためになされたもので、収納棚を前後方向に傾かせずに上昇させるようにした昇降式収納装置を提供することを目的とする。
【課題を解決するための手段】
【００１０】
前記課題を解決するために、本発明は、キッチン用フロアキャビネットのカウンターの一部に形成した昇降用開口内に配置される収納棚と、この収納棚をカウンター下の収納空間に下降させるとともに、カウンター上に上昇させる昇降機構とを備えた昇降式収納装置において、前記昇降機構は、前記収納棚の左側位置または右側位置に連結されたベルトのそれぞれを収納棚の下方でドラムに巻き取ることにより収納棚をベルトで引き上げて上昇させるものであり、前記各ベルトは、収納棚の左側位置または右側位置の前後方向の略中央に連結されているとともに、前記ドラムは、収納棚の前後方向の略中央に対応する位置に配設されていることを特徴とするものである。
【００１１】
組立ての作業性を向上させるために、前記ドラムは、モータにより回転させられるようになっており、このモータとドラムとは、前記収納空間の下面に固定される共通のベースに取付けられていることが好ましい。
【００１２】
収納空間にコンパクトに収納するために、前記ドラムと前記モータとはそれぞれの回転軸が略平行となるように並列に配置されていることが好ましい。
【発明の効果】
【００１３】
本発明によれば、各ベルトを収納棚の左側位置と右側位置の前後方向の略中央にそれぞれ連結するとともに、これらのベルトを巻き取るドラムを収納棚の前後方向の略中央に対応する位置に配設したから、収納棚を前後方向に傾かせることなく上昇させることができ、収納棚をがたつきなくスムーズに上昇させることができる。
【発明を実施するための最良の形態】
【００１４】
以下、本発明を実施するための最良の形態について、図面を参照しながら詳細に説明する。
【００１５】
図１および図２はキッチン用フロアキャビネット１であって、図１は収納棚（水切り棚）２が下降位置（不使用時）Ｄの斜視図、図２は収納棚２が上昇位置（使用時）Ｕの斜視図である。前記フロアキャビネット１は、キッチンとダイニング・リビングとの間に壁面が無いオープン型の対面キッチンを想定しているが、オープン型の対面キッチンでなくても可能である。
【００１６】
前記フロアキャビネット１の上面はカウンター１ａで構成されており、このカウンター１ａの右側位置にシンク３が設けられ、シンク３の後方位置に収納棚２が配置されている。なお、シンク３の側方位置に収納棚２を配置することもできる。ここで、左右や前後の方向の表現は、キッチン側でシンク３の前に立ってダイニング・リビング側を向いた者が見た状態としている。
【００１７】
前記収納棚２は、フロアキャビネット１のカウンター１ａに形成された昇降用開口５（図４参照）内に配置されて、この収納棚２は、後述する昇降機構６によって、カウンター下の収納空間１４（図４参照）に下降させる下降位置Ｄと、カウンター上に上昇させる上昇位置Ｕとに昇降されるようになる。図２のように、前記昇降用開口５は、横長四角枠状のカバー枠８で覆われている。
【００１８】
前記収納棚２の内部には、上下２段で食器類の水切り部２ａ，２ｂが設けられているとともに、収納棚２の上面は天板カウンター４で構成されている。
【００１９】
前記天板カウンター４は、図１のように、下降位置Ｄでは、カバー枠８とともに昇降用開口５を覆ってフロアキャビネット１のカウンター１ａの上面と僅かの隙間を隔てて対向し、カウンターの一部を構成することになるから、この天板カウンター４の上をカウンタースペース（作業スペース）として利用することができる。
【００２０】
この天板カウンター４の右側前面位置には、収納棚２を昇降操作するための操作パネル７が取付けられている。この操作パネル７には、図３に示すように、上昇スイッチ７ａ、停止スイッチ７ｂ、下降スイッチ７ｃ、ロックスイッチ７ｄが設けられるとともに、点灯または点滅することにより各種の状態を報知するＬＥＤ７ｅ，７ｆが設けられている。
【００２１】
図７（ａ）は、天板カウンター４を省略した収納棚２の斜視図である。前記収納棚２は、横長長方形状の上部フレーム２Ａと下部フレーム２Ｂと、縦長長方形状の左側部フレーム２Ｃと右側部フレーム２Ｄとで横長四角枠状に溶接等で一体的に組み立てられていて、下部フレーム２Ｂの下部に水受けトレー１０（図５参照）を取付けている。
【００２２】
前記上部フレーム２Ａと下部フレーム２Ｂと左側部フレーム２Ｃと右側部フレーム２Ｄとの裏面（ダイニング・リビング側）には化粧板１１が取付けられて覆われるとともに、左側部フレーム２Ｃと右側部フレーム２Ｄ、および上部フレーム２Ａには、化粧板１２ａ〜１２ｃがそれぞれ取付けられている。なお、化粧板１１が透光性であると、ダイニング・リビング側の光で収納棚２内を明るくすることができる。
【００２３】
また、上部フレーム２Ａに取付けられた化粧板１２ｃには、換気ファン３５が設けられている。この換気ファン３５は、収納棚２が下降位置Ｄにあるときに、収納空間１４内の空気を外部に排出するためのものであり、当該換気ファン３５には、湿度を検出する湿度センサー（図示せず）が取付けられていて、湿度が所定値以上になったときに駆動するようになっている。
【００２４】
図４〜図６に示すように、前記昇降用開口５に対応するフロアキャビネット１の内部には、下降位置Ｄの収納棚２を収納する収納空間１４が設けられ、この収納空間１４は、左右の側板１４Ａ，１４Ｂと底板１４Ｃとで下方から略Ｕ字状に囲まれ、上方に開口している。そして、左右の側板１４Ａ，１４Ｂと底板１４Ｃとのシンク３側の面は背板１４Ｄで閉じられているとともに、ダイニング側の面は点検用扉１４Ｅで開閉可能に閉じられている。
【００２５】
前記収納空間１４内には、収納棚２の昇降機構６が収納されている。この昇降機構６は、収納棚２の左側位置と右側位置とに連結されたそれぞれのベルト２２Ａ，２２Ｂを収納棚２の下方でドラム２１Ａ，２１Ｂに巻き取ることにより収納棚２をベルト２２Ａ，２２Ｂで引き上げて上昇させるとともに、ベルト２２Ａ，２２Ｂをドラム２１Ａ，２１Ｂから巻き戻すことにより収納棚２を自重で下降させるものである。
【００２６】
具体的には、前記収納空間１４の左右の側板１４Ａ，１４Ｂの内面には、上下方向に延在して、前後方向に一対のガイドレール１５がそれぞれ固定され、この一対のガイドレール１５の間に位置する左右の側板１４Ａ，１４Ｂの内面には、ガイドレール１５の上端部と下端部とに対応して、上プーリ１６Ａと下プーリ１６Ｂとがそれぞれ固定されている。
【００２７】
前記収納棚２の左側部フレーム２Ｃと右側部フレーム２Ｄとの下部には、図７（ｂ）に示すように、Ｈ字状のブラケット１７がそれぞれ固定され、各ブラケット１７には、前記対応するガイドレール１５に上下摺動可能に嵌り込む合成樹脂製のシュー１８がそれぞれ取付けられている。そして、ブラケット１７のシュー１８がガイドレール１５によって上下摺動するようにガイドされるようになっている。
【００２８】
前記収納空間１４の底板１４Ｃには、図６（ａ）に示すように、収納棚２の前後左右方向の略中央に対応する位置（図中の二点鎖線が交差する位置）に２個のドラム２１Ａ，２１Ｂが前後方向に直列に並んで配置されている。そして、ドラム２１Ａ，２１Ｂの右隣に、当該ドラム２１Ａ，２１Ｂをチェーン２１ｃを介して回転させる電動モータ２０がドラム２１Ａ，２１Ｂに並列に配置されている。これらのドラム２１Ａ，２１Ｂと電動モータ２０とは、詳しくは後述するが、共通のベース６１に取付けられていて、このベース６１が底板１４Ｃに固定されるようになっている。
【００２９】
そして、図４および図５に示すように、後側（図４および図５では手前側）のドラム２１Ａには、左側のベルト２２Ａが上方から巻き付けられて内端部が係止されるとともに、前側（図４および図５では奥側）のドラム２１Ｂには、右側のベルト２２Ｂが下方から巻き付けられて内端部が係止されている。なお、図４および図５では、電動モータ２０およびベース６１を省略している。
【００３０】
前記左側のベルト２２Ａは、左の側板１４Ａの下プーリ１６Ｂと上プーリ１６Ａとに順に掛け回されて、その外端部は、図６（ｂ）に示すように、前記収納棚２の左側部フレーム２Ｃに固定されたブラケット１７の前後方向の略中央に内側から連結金具１７ａを介して連結されている。
【００３１】
また、前記右側のベルト２２Ｂも同様に、右の側板１４Ｂの下プーリ１６Ｂと上プーリ１６Ａとに順に掛け回されて、その外端部は、前記収納棚２の右側部フレーム２Ｄに固定されたブラケット１７の前後方向の略中央に内側から連結金具１７ａを介して連結されている。
【００３２】
したがって、前記操作パネル７の上昇スイッチ７ａを押圧操作することで、電動モータ２０が正転すると、各ドラム２１Ａ，２１Ｂが図５において矢印ａ回りに駆動されて、左右のベルト２２Ａ，２２Ｂが各ドラム２１Ａ，２１Ｂに巻き取られることで、収納棚２の左右のブラケット１７が左右のベルト２２Ａ，２２Ｂで引き上げられながらガイドレール１５でガイドされて上昇することにより、収納棚２がカウンター上の上昇位置Ｕに上昇されるようになる。前記収納棚２が上昇位置Ｕまで上昇されると、電動モータ２０が停止して、逆転しないようにブレーキが掛けられるとともに、上昇スイッチ７ａをさらに押圧操作しても電動モータ２０が正転されないように制御される。
【００３３】
前記操作パネル７の下降スイッチ７ｃを押圧操作することで、電動モータ２０のブレーキが解除されて、収納棚２の左右のブラケット１７がガイドレール１５でガイドされて、収納棚２が自重で下降することにより、収納棚２がカウンター下の下降位置Ｄに下降されるようになる。なお、図５において、１７´は、下降位置Ｄのブラケットを示している。
【００３４】
この場合、電動モータ２０を逆転させながら左右のベルト２２Ａ，２２Ｂを各ドラム２１Ａ，２１Ｂから巻き戻すようになるが、この電動モータ２０の逆転は、収納棚２が自重で急激に下降しないようにブレーキを掛けるように設定されている。なお、下降スイッチ７ｃを押圧操作すると、収納棚２がカウンター下の下降位置Ｄに自動下降されるが、下降位置Ｄの手前（例えば５０ｍｍ程度）までは、自動下降するが、それ以上の下降は、下降スイッチ７ｃを押圧操作し続けなければ下降しないようにすれば（いわゆる２段押し）、安全性を高めることができる。
【００３５】
また、前記操作パネル７の停止スイッチ７ｂを押圧操作すると、電動モータ２０が停止して、収納棚２を上昇途中位置または下降途中位置でストップさせることができる。
【００３６】
さらに、操作パネル７のロックスイッチ７ｄを設定した時間（例えば３秒間）押圧操作し続けると、上側のＬＥＤ７ｅが点灯してロック状態となり、各スイッチ７ａ〜７ｃを押圧操作してもその操作は無効となる。逆に、ＬＥＤ７ｅが点灯した状態で、ロックスイッチ７ｄを設定時間押圧操作し続けると、ＬＥＤ７ｅが消灯してロック状態が解除される。
【００３７】
また、収納棚２の昇降操作の異常や過積載等は、上側のＬＥＤ７ｅの点滅により報知されるとともに図略のブザーによって警報されるようになっている。
【００３８】
前記各スイッチ７ａ〜７ｄ及びＬＥＤ７ｅ，７ｆは、前記収納空間１４の底板１４Ｃの上に取付けられた制御ボックス３２（図４参照）の制御回路に接続されている。なお、前記電動モータ２０も、前記制御ボックス３２の制御回路に接続されている。
【００３９】
一方、図４および図５に示すように、前記収納棚２の水受けトレー１０の底部は、中央部が下向きに窪むように形成されて、この底部の中央部には排水口１０ａが設けられている。この排水口１０ａにフレキシブルな排水パイプ２５の一端２５ａが連結されるとともに、この排水パイプ２５の他端２５ｂは、前記収納空間１４の背板１４Ｄの内壁面に取付けた水受けマス２６の上部位置に連結されている。
【００４０】
前記水受けマス２６は、上部が開口した四角箱状であり、この水受けマス２６の下部にはＵ字状の排水トラップ２７の入口端が連結されるとともに、この排水トラップ２７の出口端には排水管２８が連結されている。この排水管２８は、前記収納空間１４の底板１４Ｃの開口１４ａから下水配管等（図示せず。）に連結されている。
【００４１】
さらに、前記収納空間１４の背板１４Ｄの内壁面に取付けた水受けマス２６とほぼ同じ高さ位置に、傾斜させた水受け樋３０が背板１４Ｄの内壁面に水密状態で取付けられて、この水受け樋３０の傾斜下側は、水受けマス２６の上部位置に連結されている。この水受け樋３０は、前記昇降用開口５の前側のほぼ真下に位置させている。
【００４２】
なお、図示は省略するが、前記排水トラップ２７には、水位センサーが設けられており、排水トラップ２７内の水の有無は下側のＬＥＤ７ｆの点灯及び消灯によって報知され、排水トラップ２７内の異常は操作パネル７の下側のＬＥＤ７ｆの点滅によって報知されるとともに図略のブザーによって警報されるようになっている。
【００４３】
前記昇降機構６のドラム２１Ａ，２１Ｂと電動モータ２０とが取付けられているベース６１は、一枚の金属板が折り曲げ形成されたものであり、図８に示すように、左側前部のコーナー部が欠けた平面視で幅広Ｌ字状の底板６１ｃと、底板６１ｃの略全幅に亘って底板６１ｃの後端部から直立に立上る横長長方形状の後壁６１ａと、底板６１ｃの左側前部のコーナー部が欠けた部分から直立に立上って後壁６１ａの左側部分と対向する前壁６１ｂとからなっている。そして、ベース６１は、固定ネジ６３によって収納空間１４の底板１４Ｃに固定されるようになっている。
【００４４】
前記後壁６１ａと前壁６１ｂとには、当該後壁６１ａおよび前壁６１ｂを貫通するように前後方向に延在する回動軸２１ｄが軸心回りに回動可能に支持されていて、この回動軸２１ｄの前側位置に前記ドラム２１Ａ，２１Ｂが固定されている。すなわちドラム２１Ａ，２１Ｂは、回動軸２１ｄを介してベース６１に取付けられている。
【００４５】
一方、底板６１ｃの右側位置には、受け台６２が載置された状態で固定され、この受け台６２の上面に減速機２１ａが取付けられている。そして、減速機２１ａの前面に電動モータ２０が軸心方向が前後方向を向く姿勢で取付けられている。すなわち、電動モータ２０は、減速機２１ａおよび受け台６２を介してベース６１に取付けられており、電動モータ２０の軸心方向とドラム２１Ａ，２１Ｂが固定されている回動軸２１ｄの軸心方向とは略平行となっている。
【００４６】
前記受け台６２は、減速機２１ａの取付けレベルを所定の高さまで嵩上げするものであり、矩形状の天板６２ａと、この天板６２ａの左右両端部の前後位置から垂れ下がって外側に広がる正面視でＬ字状の４つの脚部６２ｂとを有している。この受け台６２も、前記ベース６１と同様に、一枚の金属板が折り曲げ形成されて構成されている。
【００４７】
そして、前後の脚部６２ｂの間から天板６２ａの下方を通って右側のベルト２２Ｂが前側のドラム２１Ｂと右の側板１４Ｂの下プーリ１６Ｂとに掛け渡されている。
【００４８】
また、前記減速機２１ａは、後方に延在する出力軸を有しており、この出力軸にスプロケット２１ｂが取付けられている一方、前記回動軸２１ｄの後側位置にもスプロケット２１ｂが取付けられていて、これらのスプロケット２１ｂにチェーン２１ｃが掛け渡されている。これにより、電動モータ２０の出力が、減速機２１ａ、チェーン２１ｃを介して回動軸２１ｄに伝達され、回動軸２１ｄと共にドラム２１Ａ，２１Ｂが回転するようになっている。
【００４９】
前記のようなフロアキャビネット１であれば、フロアキャビネット１のカウンター１ａに形成した昇降用開口５内に設置した収納棚２を、不使用時にはカウンター下の収納空間１４に下降させるとともに、使用時にはカウンター上に上昇させるようにしたから、キッチンとダイニングとの間に壁面が無いオープン型の対面キッチンに好適であって、収納棚２をカウンター上に上昇させれば、屈まずに収納棚２から収納物を出し入れできるようになる。
【００５０】
また、収納棚２は、カウンター上に上昇させるだけであるから、収納棚２のいずれの段にある食器等の収納物でも出し入れしやすくなるとともに、収納棚２をカウンター下の収納空間１４に下降させれば、カウンター上面を広く使えるようになるとともに、カウンター上での別の作業の邪魔にならなくなる。
【００５１】
一方、各ベルト２２Ａ，２２Ｂを収納棚２のブラケット１７の前後方向の略中央に連結するとともに、これらのベルト２２Ａ，２２Ｂを巻き取るドラム２１Ａ，２１Ｂを収納棚２の前後方向の略中央に対応する位置に配設したから、収納棚２を前後方向に傾かせることなく上昇させることができ、収納棚２をがたつきなくスムーズに上昇させることができる。
【００５２】
また、ドラム２１Ａ，２１Ｂとこのドラム２１Ａ，２１Ｂを回転させる電動モータ２０とを共通のベース６１に取付けたから、底板１４Ｃにベース６１を取付ける前にチェーン２１ｃの張り具合等を調整することができ、組立ての作業性を向上させることができるとともに、メンテナンス時には駆動部を一体として取り出してメンテナンスを行うことができる。
【００５３】
なお、前記実施形態では、ドラム２１Ａ，２１Ｂと電動モータ２０とを並列に配置しているが、ドラム２１Ａ，２１Ｂが固定されている回動軸２１ｄと減速機２１ａの出力軸とをカップリング等により連結すれば、ドラム２１Ａ，２１Ｂと電動モータ２０と直列に配置することができる。ただし、このようにするには、電動モータ２０の収納スペースを確保するために収納空間１４の前後方向の寸法を大きくするか、あるいはベルト２２Ａ，２２Ｂとブラケット１７との連結位置およびドラム２１Ａ，２１Ｂの配置位置を前後方向のどちらかに変更する必要がある。これに対し、前記実施形態のように、ドラム２１Ａ，２１Ｂと電動モータ２０とを並列に配置すれば、各ベルト２２Ａ，２２Ｂをブラケット１７の前後方向の略中央に連結するとともにドラム２１Ａ，２１Ｂを収納棚２の前後方向の略中央に対応する位置に配設しながらも、ドラム２１Ａ，２１Ｂと電動モータ２０とを収納空間１４にコンパクトに収容して、収納空間１４の大きさを小さく抑えることができる。
【００５４】
また、前記実施形態では、受け台６２の下方に右側のベルト２２Ｂを通しているが、ドラム２１Ａ，２１Ｂの配置位置をさらに上方に変更するとともに、減速機２１ａをベース６１に固定するようにして、ベルト２２Ｂを電動モータ２０の上方を通すようにしてもよい。
【００５５】
さらに、前記実施形態では、フロアキャビネット１の昇降式収納装置として、収納棚２の１つである水切り棚を例にとったが、これに限られるものではなく、食器乾燥器または食器洗い乾燥器であってもよい。
【図面の簡単な説明】
【００５６】
【図１】本発明の実施形態を示すキッチン用フロアキャビネットであり、収納棚が下降位置の斜視図である。
【図２】本発明の実施形態を示すキッチン用フロアキャビネットであり、収納棚が上昇位置の斜視図である。
【図３】操作パネルの正面図である。
【図４】昇降式収納装置をダイニング・リビング側から見た斜視図である。
【図５】昇降式収納装置をダイニング・リビング側から見た正面図である。
【図６】（ａ）は収納棚を省略した昇降式収納装置の平面図、（ｂ）は昇降式収納装置の要部断面側面図である。
【図７】（ａ）は天板カウンターを省略した収納棚の斜視図、（ｂ）はガイドレールとブラケットの斜視図である。
【図８】昇降機構の主要部をキッチン側から見た斜視図である。
【符号の説明】
【００５７】
１      キッチン用フロアキャビネット
１ａ    カウンター
１４    収納空間
２      収納棚
２０    電動モータ
２１ａ  減速機
２１ｂ  スプロケット
２１ｃ  チェーン
２１ｄ  回動軸
２２Ａ，２２Ｂ  ベルト
４      天板カウンター
５      昇降用開口
６      昇降機構
６１    ベース
６２    受け台
７      操作パネル
【図１】
2006296601.tif 000003
【図２】
2006296601.tif 000004
【図３】
2006296601.tif 000005
【図４】
2006296601.tif 000006
【図５】
2006296601.tif 000007
【図６】
2006296601.tif 000008
【図７】
2006296601.tif 000009
【図８】
2006296601.tif 000010